(57)【要約】      （修正有）【課題】糸の巻取または繰出を快速で行い、緊張度の微調整機能を有するリール構造を提供する。【解決手段】ケース２００と、ねじ蓋５００と、戻り止めユニット４００と、ボビン３００とを備える。ケース２００は、底部２１０と、底部から延出して底部と共に空間を形成する側壁２２０と、空間へ向かうように側壁に設けられるリングギア２５０と、を含む。ねじ蓋５００は、ケースに覆設される。戻り止めユニット４００は、緩め方向においてリングギア２５０に噛み合わせ締付方向に径方向でリングギアから離脱する突出アーム４２２を含み、一端がねじ蓋５００に接続されるように空間に設けられる。ボビン３００は、戻り止めユニット４００に接続し戻り止めユニットと連動して回転し、且つ糸がボビン３００に巻き付かれてボビンと連動するように空間に設けられる。【選択図】図２
0003202821.tif 000002
【実用新案登録請求の範囲】
【請求項１】
糸の巻取または繰出を行うリール構造であって、
底部と、前記底部から延出して前記底部と共に空間を形成する側壁と、前記底部から前記空間へ突出するように、前記空間に位置する係止部材と、前記空間に向かうように前記側壁に設けられるリングギアと、を含むケースと、
前記ケースに覆設されるねじ蓋と、
間隔をあけて設けられ、且つ前記係止部材と選択的に係合する第１の結合部及び第２の結合部と、前記ねじ蓋と前記ケースとが相対的に回転しないように緩め方向において前記リングギアに噛み合い、前記緩め方向と反対する締付方向において次々に径方向で前記リングギアから離脱する突出アームと、を含み、一端が前記ねじ蓋に接続されるように前記空間に設けられる戻り止めユニットと、
前記空間に設けられており、前記戻り止めユニットに接続されており、前記戻り止めユニットと連動かつ回転し、前記糸が巻き付かれており、前記糸を連動させるボビンと、
を備え、
前記戻り止めユニットは、前記ケースに対する第１の位置及び第２の位置を有し、前記第１の位置に位置する場合、前記係止部材が前記第１の結合部と係合し、前記ねじ蓋が前記ボビンを連動して前記締付方向へ回転させ前記糸を前記ボビンに巻き戻すように連動させるが、前記第２の位置に位置する場合、前記係止部材が前記第２の結合部と係合し、且つ前記突出アームと前記リングギアとが分離し、前記糸が引き出されて前記ボビンが前記ねじ蓋を前記緩め方向へ回転連動させるリール構造。
【請求項２】
前記戻り止めユニットは、
前記突出アームの凸設用のリング体を含み、前記ねじ蓋に設けられるクランプ部材と、
前記ねじ蓋と前記クランプ部材とを接続し、前記第１の結合部と前記第２の結合部との設置に用いられるベース柱を有する移動部材と、
を更に含み、
前記第１の結合部と前記第２の結合部とは前記ベース柱の軸方向に沿って間隔をあけて設けられている請求項１に記載のリール構造。
【請求項３】
前記第１の結合部は前記ベース柱に設けられる外リング溝であり、前記第２の結合部は前記ベース柱に設けられる別の外リング溝であり、前記係止部材は前記外リング溝の何れに対応する凸部を含む請求項２に記載のリール構造。
【請求項４】
前記ボビンが前記移動部材の外側に嵌設され、前記リング体が内部歯を含み、前記ボビンが外部歯を含み、前記内部歯と前記外部歯とが噛み合う請求項３に記載のリール構造。
【請求項５】
前記内部歯と前記外部歯とが前記第１の位置及び前記第２の位置の何れにおいても互に噛み合う請求項４に記載のリール構造。
【請求項６】
前記ねじ蓋は中心軸線を有し、前記外部歯の前記中心軸線に対する平行高さが前記突出アームの前記中心軸線に対する平行高さよりも高い請求項５に記載のリール構造。
【請求項７】
前記底部は、前記空間と連通するスルーホールを更に含み、前記移動部材が前記スルーホールを貫通して前記ねじ蓋と接続し、且つ前記移動部材が前記スルーホール内を位置制限されて移動する請求項６に記載のリール構造。
【請求項８】
糸の巻取または繰出を行うリール構造であって、
底部と、前記底部から延出して前記底部と共に空間を形成する側壁と、前記空間に向かうように前記側壁に設けられるリングギアと、を含むケースと、
前記ケースに覆設されるねじ蓋と、
前記ねじ蓋と前記ケースとが相対的に回転しないように緩め方向において前記リングギアに噛み合い、前記緩め方向と反対する締付方向において次々に径方向で前記リングギアから離脱する突出アームを含み、一端が前記ねじ蓋に接続されるように前記空間に設けられる戻り止めユニットと、
前記空間に設けられており、前記戻り止めユニットに接続されており、前記戻り止めユニットと連動かつ回転し、前記糸が巻き付かれており、前記糸を連動させるボビンと、
を備え、
前記戻り止めユニットは、前記ケースに対する第１の位置及び第２の位置を有し、前記第１の位置に位置する場合、前記ねじ蓋が前記ボビンを前記締付方向へ回転連動させて前記糸を前記ボビンに巻き戻すように動かすが、前記第２の位置に位置する場合、前記突出アームと前記リングギアとが分離し、前記糸が引き出されて前記ボビンが前記ねじ蓋を前記緩め方向へ回転連動させるリール構造。
【請求項９】
前記ねじ蓋は中心軸線を有し、前記ボビンが外部歯を含み、前記外部歯の前記中心軸線に対する平行高さが前記突出アームの前記中心軸線に対する平行高さよりも高い請求項８に記載のリール構造。
【請求項１０】
前記戻り止めユニットは、
前記ねじ蓋に設けられるクランプ部材を更に含み、前記クランプ部材は前記突出アームの凸設用のリング体を含み、前記リング体は前記外部歯と噛み合う内部歯を含む請求項９に記載のリール構造。
【請求項１１】
前記戻り止めユニットは、前記第１の位置及び第２の位置に位置する場合、前記外部歯と前記内部歯との何れも噛み合って、前記ねじ蓋と前記ボビンとを協働させる請求項１０に記載のリール構造。
【請求項１２】
前記ケースは、前記底部から前記空間へ突出するように、前記空間に位置する係止部材を更に含み、
前記戻り止めユニットは、前記ねじ蓋と前記クランプ部材とを接続するベース柱と、前記ベース柱に設けられ、且つ前記ベース柱の軸方向に沿って間隔をあけて設けられ、前記係止部材と選択的に係合する第１の結合部及び第２の結合部と、を含む移動部材を更に含み、
前記戻り止めユニットが前記第２の位置に位置する場合、前記係止部材は前記第２の結合部と係合し、前記戻り止めユニットが前記第１の位置に位置する場合、前記係止部材は前記第１の結合部と係合する請求項１１に記載のリール構造。
【考案の詳細な説明】
【技術分野】
【０００１】
本考案は、リール構造に関し、特に、糸を快速に巻取または繰出可能なリール構造に関する。
【背景技術】
【０００２】
日常生活において、縄やリボン等の糸で物品を締め付けることがよくあり、一番よく見られる締付手段としては、例えば、レースアップ等のように、糸を物品における穴に往復して通して、結び目を作って固定する。しかしながら、このような締付手段では、外力要素により結び目が緩めやすく、改めて結び付けなければならなく、また、物品を安定的に締め付けないことで非常に不便になる。
【０００３】
このような問題を解決するために、内部部材の干渉によって糸の長さを調整可能にするとともに、締付の緊張度を調整し、リボンを回転して締め付けて、更に固定する留め具が、当業者により開発された。しかしながら、このような留め具では、締付の場合、内部機構による干渉力に抵抗しなければならないため、締付速度が遅く、時間を費やす。また、このような留め具では、緩むには糸を引かなければならず、回転の方向によって緩むことができないため、緩みの形態もかなり制限される。
【考案の概要】
【考案が解決しようとする課題】
【０００４】
これに鑑みて、如何に留め具の巻取速度または繰出速度を効果的に向上させ、使用時の利便性が向上するかは、当業者の努力する目標となっている。
【０００５】
本考案の目的は、快速で巻取または繰出可能で、緊張度に対する微調整の機能を持っているリール構造を提供することにある。
【課題を解決するための手段】
【０００６】
本考案の一態様によると、糸の巻取または繰出を行うリール構造であって、底部と、底部から延出して底部と共に空間を形成する側壁と、底部から空間へ突出するように、空間に位置する係止部材と、空間に向かうように側壁に設けられるリングギアと、を含むケースと、ケースに覆設されるねじ蓋と、間隔をあけて設けられ、且つ係止部材と選択的に係合する第１の結合部及び第２の結合部と、ねじ蓋とケースとが相対的に回転しないように緩め方向においてリングギアに噛み合い、緩め方向と反対する締付方向において次々に径方向でリングギアから離脱する突出アームと、を含み、一端がねじ蓋に接続されるように空間に設けられる戻り止めユニットと、戻り止めユニットに接続し戻り止めユニットと連動して回転し、且つ糸がボビンに巻き付かれてボビンと連動するように空間に設けられるボビンと、を備え、戻り止めユニットは、ケースに対する第１の位置及び第２の位置を有し、第１の位置に位置する場合、係止部材が第１の結合部と係合し、ねじ蓋がボビンを締付方向へ回転連動させて糸をボビンに巻き戻すように動かすが、第２の位置に位置する場合、係止部材が第２の結合部と係合し、且つ突出アームとリングギアとが分離し、糸が引き出されてボビンがねじ蓋を緩め方向へ回転連動させるリール構造を提供する。
【０００７】
これにより、戻り止めユニットのケースに対する第１の位置及び第２の位置によって、巻取機能または繰出機能を簡単に切り替えることができ、更にリングギアと突出アームとの係合関係によって糸の緩めを避けて、糸を締め付ける機能が実現される。最後、巻取時または繰出時にねじ蓋も協働するため、ねじ蓋の作動方向から当時の巻取状態または繰出状態が明らかになるが、使用の利便性が向上する。
【０００８】
前記のリール構造によると、戻り止めユニットは、突出アームの凸設用のリング体を含み、ねじ蓋に設けられるクランプ部材と、ねじ蓋とクランプ部材とを接続し、第１の結合部と第２の結合部とをベース柱の軸方向に沿って間隔をあけて設けるためのベース柱を含む移動部材と、を更に含んでもよい。第１の結合部はベース柱に設けられる外リング溝であってもよく、第２の結合部はベース柱に設けられる別の外リング溝であってもよい。係止部材は前記外リング溝の何れに対応する凸部を含む。また、ボビンが移動部材の外側に嵌設されてもよく、リング体が内部歯を含み、ボビンが外部歯を含み、内部歯と外部歯とが噛み合う。内部歯と外部歯とが第１の位置及び第２の位置の何れにおいても互に噛み合う。ねじ蓋は中心軸線を有してもよく、外部歯の中心軸線に対する平行高さが突出アームの中心軸線に対する平行高さよりも大きくてもよい。また、底部は、空間と連通するスルーホールを更に含み、移動部材がスルーホールを貫通してねじ蓋と接続し、且つスルーホール内を位置制限されて移動する。
【０００９】
本考案の別の態様によると、糸の巻取または繰出を行うリール構造であって、底部と、底部から延出して底部と共に空間を形成する側壁と、空間に向かうように側壁に設けられるリングギアと、を含むケースと、ケースに覆設されるねじ蓋と、ねじ蓋とケースとが相対的に回転しないように緩め方向においてリングギアに噛み合い、緩め方向と反対する締付方向において次々に径方向でリングギアから離脱する突出アームを含み、一端がねじ蓋に接続されるように空間に設けられる戻り止めユニットと、戻り止めユニットに接続し戻り止めユニットと連動して回転し、糸がボビンに巻き付かれてボビンと連動するように空間に設けられるボビンと、を備え、戻り止めユニットは、ケースに対する第１の位置及び第２の位置を有し、第１の位置に位置する場合、ねじ蓋がボビンを締付方向へ回転連動させて糸をボビンに巻き戻すように動かすが、第２の位置に位置する場合、突出アームとリングギアとが分離し、糸が引き出されてボビンがねじ蓋を緩め方向へ回転連動させるリール構造を提供する。
【００１０】
この構造により、巻取機能または繰出機能を簡単に切り替えることができ、更にリングギアと突出アームとの係合関係によって糸の緩めを避けて、糸を締め付けて所定の長さに維持する。なお、巻取時または繰出時にねじ蓋も協働するため、ねじ蓋の作動方向から当時の巻取状態または繰出状態が明らかになるが、使用の利便性が向上する。
【００１１】
前記のリール構造によると、ボビンが外部歯を含んでもよく、戻り止めユニットがクランプ部材を更に含んでもよく、クランプ部材がねじ蓋に設けられ且つ突出アームの凸設用のリング体を含み、リング体は外部歯と噛み合う内部歯を含む。戻り止めユニットは、第１の位置及び第２の位置に位置する場合、外部歯と内部歯との何れも噛み合って、ねじ蓋とボビンとを協働させる。また、ケースは、底部から空間へ突出するように、空間に位置する係止部材を更に含み、戻り止めユニットは、ねじ蓋とクランプ部材とを接続するベース柱と、ベース柱に設けられ、且つ第１の結合部と第２の結合部がベース柱の軸方向に沿って間隔をあけて設けられ、係止部材と選択的に係合する第１の結合部及び第２の結合部と、を含む移動部材を更に含んでもよい。戻り止めユニットが第２の位置に位置する場合、係止部材が第２の結合部と係合され、戻り止めユニットが第１の位置に位置する場合、係止部材が第１の結合部と係合する。また、ねじ蓋は中心軸線を有してもよく、外部歯の中心軸線に対する平行高さ突出アームの中心軸線に対する平行高さがよりも大きくてもよい。
【図面の簡単な説明】
【００１２】
【図１】本考案の一実施形態に係るリール構造を示す模式的斜視図である。
【図２】ある角度から見た図１のリール構造を示す模式的分解斜視図である。
【図３】他の角度から見た図１のリール構造を示す模式的分解斜視図である。
【図４】図１のリール構造の切断線４−４に沿った模式的断面図である。
【図５】図４のリール構造を示す別の模式的断面図である。
【図６】本考案の別の実施形態に係るリール構造を示す模式的斜視図である。
【図７】ある角度から見た図６のリール構造を示す模式的分解斜視図である。
【図８】他の角度から見た図６のリール構造を示す模式的分解斜視図である。
【図９】図６のリール構造の切断線９−９に沿った模式的断面図である。
【図１０】図９のリール構造を示す別の模式的断面図である。
【考案を実施するための形態】
【００１３】
以下、図面で本考案の複数の実施形態を説明し、明らかに説明するために、数多くの実際の細部を下記でまとめて説明する。しかしながら、理解すべきなのは、これらの実際の細部が本考案を制限するためのものではない。つまり、本考案の実施形態の一部において、これらの実際の細部は、必須なものではない。また、図面を簡略化するために、ある従来慣用の構造と素子は、図面において簡単で模式的に示され、また重複した素子は同じ番号で示されることがある。
【００１４】
図１〜図３を参照されたい。図１は、本考案の一実施形態に係るリール構造１００を示す斜視模式図である。図２は、ある角度から見た図１のリール構造１００を示す分解斜視模式図である。図３は、他の角度から見た図１のリール構造１００を分解斜視模式図である。リール構造１００は、糸を巻取するまたは繰出（図示せず）するためのリール構造であって、ケース２００と、ボビン３００と、戻り止めユニット４００と、ねじ蓋５００と、を備える。
【００１５】
ケース２００は、底部２１０と、底部２１０から延出して底部２１０と共に空間２３０を形成する側壁２２０と、空間２３０に向かうように側壁２２０に設けられるリングギア２５０と、を含む。ねじ蓋５００がケース２００に覆設される。戻り止めユニット４００は、一端がねじ蓋５００に接続されるように空間２３０に設けられる。戻り止めユニット４００は、突出アーム４２２を含む。本実施形態において、突出アーム４２２の数は、４つであるが、これに限定されない。突出アーム４２２は、ねじ蓋５００とケース２００とが相対的に回転しないように緩め方向Ａ１においてリングギア２５０に噛み合い、緩め方向Ａ１と反対する締付方向Ａ２において次々に径方向でリングギア２５０から離脱する。
【００１６】
ボビン３００が、戻り止めユニット４００に接続し戻り止めユニット４００と連動して回転するように空間２３０に設けられる。糸がボビン３００に巻き付かれてボビン３００と連動する。戻り止めユニット４００は、ケース２００に対する第１の位置及び第２の位置を有し、第１の位置に位置する場合、ねじ蓋５００がボビン３００を締付方向Ａ２へ回転連動させ、糸をボビン３００に巻き戻すように動かすが、第２の位置に位置する場合、突出アーム４２２とリングギア２５０とが分離し、糸が引き出されてボビン３００がねじ蓋５００を緩め方向Ａ１へ回転連動させる。
【００１７】
この構造により、簡単に巻取または繰出し、及び緊張度に対する微調整の機能を切り替えることができる。また、リングギア２５０と突出アーム４２２との係合関係によって糸の緩めを避けて、糸を締め付ける機能が実現される。最後、巻取時または繰出時にねじ蓋５００も協働するため、ねじ蓋５００の作動方向から当時の巻取状態または繰出状態が明らかになるが、本実施形態の細部構造と作動方式については、以下で更に詳しく説明する。
【００１８】
具体的に、本実施形態において、ケース２００は、前記の底部２１０、側壁２２０及びリングギア２５０に加え、更に係止部材２４０を含む。ここで、係止部材２４０の数は、３つとして例示されるが、これに限定されない。底部２１０は、空間２３０と連通するスルーホール２１１（図３参照）を含む。係止部材２４０は、スルーホール２１１の周囲に設けられるように底部２１０に凸設され、つまり、空間２３０へ突出する。
【００１９】
ボビン３００は、中空環状となり、外部歯３１０と固定部材３２０を含む。固定部材３２０は、糸がボビン３００から離脱できないように、糸の両端を固定することに用いられる。且つ糸がボビン３００に規則正しく巻き付かれて、ボビン３００に伴って異なる方向へ回転して締め付けられ又は緩められることができる。
【００２０】
戻り止めユニット４００は、接続部材４１０、クランプ部材４２０及び移動部材４３０を含み、前記突出アーム４２２がクランプ部材４２０に設けられる。
【００２１】
接続部材４１０は、ねじ蓋５００と協働するようにねじ蓋５００内に設けられる。接続部材４１０は、上孔４１１、下孔４１３（図３参照）及び２つの嵌合部４１２を含む。上孔４１１と下孔４１３とが連通し、何れも六角柱形となる。嵌合部４１２が接続部材４１０のねじ蓋５００に向かう一端に位置し、２つの嵌合部４１２が対向して設けられ、クランプ部材４２０との係合に用いられる。
【００２２】
クランプ部材４２０は、前記突出アーム４２２、リング体４２１及び内部歯４２３（図３参照）を含み、リング体４２１が接続部材４１０に嵌設され、突出アーム４２２がリング体４２１の外側に凸設され、内部歯４２３がリング体４２１の内側に設けられる。内部歯４２３の形が外部歯３１０とマッチし、これにより、内部歯４２３と外部歯３１０とが互に噛み合うことができる。
【００２３】
移動部材４３０は、ベース柱４３３、第１の結合部４３１及び第２の結合部４３２を含み、ベース柱４３３が接続部材４１０を接続することに用いられ、第１の結合部４３１と第２の結合部４３２部がベース柱４３３の軸方向に沿って間隔をあけて設けられる。ベース柱４３３のねじ蓋５００に向かう一端は、嵌合トップ４３４を含み、嵌合トップ４３４が六角柱形となり、下孔４１３の形に対応する。
【００２４】
ねじ蓋５００のケース２００に向かう一端は、凹溝５４０及び突出柱５３０（図３参照）を含み、突出柱５３０が六角柱形となり且つ貫通孔５２０を含み、突出柱５３０が凹溝５４０の中央に凸設され、貫通孔５２０がねじ蓋５００を貫通する。
【００２５】
具体的に、リール構造１００を組み立てる時に、まずクランプ部材４２０をボビン３００の上方に設けられて、外部歯３１０と内部歯４２３を互に噛み合わせて、次に、接続部材４１０をボビン３００の下方からクランプ部材４２０へ通してから嵌合部４１２によりリング体４２１に係合させて、接続部材４１０、クランプ部材４２０及びボビン３００という三者を離脱不可能にする。接続部材４１０、クランプ部材４２０及びボビン３００という三者が空間２３０に設けられる場合、係止部材２４０がボビン３００の内部へ突出し、移動部材４３０がケース２００の下方よりスルーホール２１１から上へ通して、これにより係止部材２４０が第１の結合部４３１又は第２の結合部４３２に係合する。嵌合トップ４３４と下孔４１３の形がマッチするため、嵌合トップ４３４が下孔４１３に係合され、このようにしてケース２００、戻り止めユニット４００及びボビン３００が組み立てを完成する。最後に、ねじ蓋５００をケース２００に覆って、突出柱５３０を上孔４１１に係合させ、クランプ部材４２０を凹溝５４０に係合させ、ネジ５１０により貫通孔５２０にロックし、全体のリール構造１００の組み立てを完成する。注意すべきなのは、上記の組み立て過程は例示だけであり、本考案を制限するものではなく、戻り止めユニット４００は一体成形の素子であってもよく、上記の構成に限定されない。
【００２６】
図４及び図５を参照されたい。更に一括して図２及び図３を参照されたい。図４は、図１のリール構造１００が切断線４−４に沿う断面模式図である。図５は、図４のリール構造１００を示す別の模式的断面図である。リール構造１００のねじ蓋５００は中心軸線Ｉを有し、且つ中心軸線Ｉに沿って上へ引かれて戻り止めユニット４００を上へ移動させるように動かすことができるため、戻り止めユニット４００がケース２００に対する第１の位置及び第２の位置を有する。戻り止めユニット４００が第１の位置に位置する場合、図４に示すように、係止部材２４０が第１の結合部４３１と係合され、ねじ蓋５００が上へ引かれる場合、図５に示すように、この時に戻り止めユニット４００が第２の位置に位置する場合、係止部材２４０が第２の結合部４３２と係合する。
【００２７】
戻り止めユニット４００が第１の位置に位置し且つ係止部材２４０が第１の結合部４３１と係合する場合、突出アーム４２２は、リングギア２５０（図２参照）と互に干渉する。突出アーム４２２がわずかの弾性があるため、ねじ蓋５００が戻り止めユニット４００を締付方向Ａ２へ回転連動させる場合、この時に突出アーム４２２が圧力を受け絶えずにリングギア２５０から離脱する。即ち、突出アーム４２２は、ねじ蓋５００がケース２００に対して締付方向Ａ２へ回転することを防止できないため、ねじ蓋５００が戻り止めユニット４００及びボビン３００を締付方向Ａ２へ回転連動させ、糸をボビン３００に巻き戻すことができる。逆に、ねじ蓋５００が緩め方向Ａ１へ回転する場合、突出アーム４２２がリングギア２５０に噛み合わせて、ねじ蓋５００がケース２００に対して緩め方向Ａ１へ回転することができなくなり、この時に糸を引き出すことができない。従って、図４において、リール構造１００は、締め付けることのみができる。また、突出アーム４２２とリングギア２５０の干渉関係によって締付速度が遅くなり、且つ使用者が手を放してねじ蓋５００を回転させない時に糸が自動的に緩めしないため、糸の緊張度に対する微調整をすることができる。
【００２８】
図５に示すように、戻り止めユニット４００が第２の位置に位置し且つ係止部材２４０が第２の結合部４３２と係合する場合、突出アーム４２２がケース２００から遠く離れリングギア２５０と分離するため、ねじ蓋５００はケース２００から緩め方向Ａ１又は締付方向Ａ２へ回転することができる。また、外部歯３１０と内部歯４２３（図３参照）が依然として噛み合うため、ねじ蓋５００とボビン３００とが依然として互に連動することができ、糸が引き出される場合、ねじ蓋５００が伴って同時に回転することになり、この時に、ねじ蓋５００により異なる方向へ回転させて糸の巻取または繰出を行うことができ、糸の長さが所定の長さに達する場合、更にねじ蓋５００を下へ押して戻り止めユニット４００を第１の位置に切り替え、糸を締め付ける。
【００２９】
本実施形態において、第１の結合部４３１はベース柱４３３に設けられる外リング溝であり、第２の結合部４３２はベース柱４３３に設けられる別の外リング溝である。係止部材２４０は、前記外リング溝の何れに対応する凸部２４１を含む。他の実施形態において、係止部材は凹部を含んでもよく、第１の結合部及び第２の結合部はベース柱に設けられる突出リングであってもよく、突出リングと凹部をマッチさせるように係合させるが、上記のことに限定されない。
【００３０】
また、図４から分かるのは、本実施形態の外部歯３１０の中心軸線Ｉに対する平行高さｄ２が突出アーム４２２の中心軸線Ｉに対する平行高さｄ１よりも大きいため、戻り止めユニット４００が第１の位置又は第２の位置に位置することに関わらず、外部歯３１０と内部歯４２３との何れも噛み合って、ねじ蓋５００が第１の位置及び第２の位置に位置する場合何れもボビン３００と協働する。
【００３１】
図６、図７及び図８を参照されたい。図６は、本考案の別の実施形態に係るリール構造１１０を示す斜視模式図である。図７は、ある角度から見た図６のリール構造１１０を示す分解斜視模式図である。図８は、他の角度から見た図６のリール構造１１０を示す分解斜視模式図である。リール構造１１０の基本作動原理は、図１〜図５に記載の実施形態と類似するが、構造においてわずかな違いがあり、以下のように説明する。
【００３２】
リール構造１１０は、ケース２００ａ、ボビン３００ａ、戻り止めユニット４００ａ及びねじ蓋５００ａを含む。戻り止めユニット４００ａは、クランプ部材４２０ａ及び移動部材４３０ａを含む。クランプ部材４２０ａは、リング体４２１ａ、４つの突出アーム４２２ａ、内部歯４２３ａ（図８参照）、突出柱４２４（図８参照）及び孔部４２５（図８参照）を含み、突出アーム４２２ａ、内部歯４２３ａ及び突出柱４２４がリング体４２１ａに設けられ、突出柱４２４がボビン３００ａへ突出し、且つ孔部４２５が突出柱４２４に設けられる。また、ケース２００ａ、ボビン３００ａ及び移動部材４３０ａの構造が図１〜図５に記載の実施形態と類似するが、ここで詳しく説明しない。しかしながら、特に注意すべきなのは、本実施形態において、移動部材４３０ａの嵌合トップ４３４ａは、孔部４２５に係合されて、移動部材４３０ａをクランプ部材４２０ａと連動させる。
【００３３】
図９及び図１０を参照されたい。一括して図７及び図８を参照されたい。図９は、図６のリール構造１１０の切断線９−９に沿った断面模式図である。図１０は、図９のリール構造１１０を示す別の模式的断面図である。本実施形態において、ねじ蓋５００ａは中心軸線Ｉ２に沿って上へ引かれてもよく、ねじ蓋５００の軸方向の移動により戻り止めユニット４００ａにケース２００ａに対する第１の位置及び第２の位置を持たせることができる。
【００３４】
図９に示すように、ねじ蓋５００ａが上へ引かれない場合、戻り止めユニット４００ａが第１の位置に位置し、突出アーム４２２ａとリングギア２５０ａ（図７参照）が噛み合っているが、突出アーム４２２ａが締付方向Ａ２にリングギア２５０ａから離脱することができるので、ねじ蓋５００ａを回転させボビン３００ａを締付方向Ａ２へ回転連動させて、糸をボビン３００ａに巻き戻すように動かすことができ、且つ突出アーム４２２ａが緩め方向Ａ１にリングギア２５０ａから離脱することができないため、糸の緩めを防止でき、締付、緊張度の微調整及び締め付け目的を達成する。
【００３５】
図１０に示すように、ねじ蓋５００ａが上へ引かれる場合、戻り止めユニット４００ａが第２の位置に位置しケース２００ａから離れるように突出アーム４２２ａを動かして、突出アーム４２２ａとリングギア２５０ａを分離させ、内部歯４２３ａが依然として外部歯３１０ａ（図７参照）と噛み合って、この時に糸が引き出されてボビン３００ａがねじ蓋５００ａを緩め方向Ａ１へ回転連動させるため、緩み状態となり、また、直接ねじ蓋５００ａを締付方向Ａ２へ回転させて快速で糸を締め付けることができる。
【００３６】
また、図９に示すように、本実施形態における外部歯３１０ａの中心軸線Ｉ２に対する平行高さｄ２が突出アーム４２２ａの中心軸線Ｉ２に対する平行高さｄ１よりも大きいため、戻り止めユニット４００ａが第１の位置又は第２の位置に位置することに関わらず、外部歯３１０ａと内部歯４２３ａとの何れも噛み合って、ねじ蓋５００ａが第１の位置及び第２の位置に位置する場合何れもボビン３００ａと協働する。
【００３７】
上記の実施形態から、本考案は、以下のメリットを有することが判明される。
【００３８】
一、ねじ蓋とボビンとの連動関係によって、ねじ蓋を異なる方向へ回転させることにより、快速な巻取または繰出の目的を達成する。
【００３９】
二、戻り止めユニットとケースとの間に有する相対的な第１の位置及び第２の位置によって、緩み又は締め付ける状態を切り替えるだけでなく、且つ快速で締付、又は緊張度に対する微調整をする機能を選択してもよい。戻り止めユニットが第１の位置に位置する場合、締付速度が遅くなり緊張度を調整することができ、戻り止めユニットが第２の位置に位置する場合、快速でねじ蓋を回転させて快速な締付効果を達成することができる。
【００４０】
三、外部歯の高さが突出アームの高さよりも高い構造関係によって、戻り止めユニットが第１の位置及び第２の位置に位置する場合、外部歯及び内部歯皆が互に噛み合って、更にねじ蓋が第１の位置及び第２の位置に位置する場合何れもボビンと協働する目的を達成する。
【００４１】
本考案を実施形態で前記の通り開示したが、これは本考案を限定するためのものではなく、当業者であれば、本考案の精神と範囲から逸脱しない限り、各種の変更や修正を加えることができる。従って、本考案の保護範囲は、実用新案登録請求の範囲で指定した内容を基準とするものである。
【符号の説明】
【００４２】
１００、１１０  リール構造
２００、２００ａ  ケース
２１０  底部
２１１  スルーホール
２２０  側壁
２３０  空間
２４０  係止部材
２４１  凸部
２５０、２５０ａ  リングギア
３００、３００ａ  ボビン
３１０、３１０ａ  外部歯
３２０  固定部材
４００、４００ａ  戻り止めユニット
４１０  接続部材
４１１  上孔
４１２  嵌合部
４１３  下孔
４２０、４２０ａ  クランプ部材
４２１、４２１ａ  リング体
４２２、４２２ａ  突出アーム
４２３、４２３ａ  内部歯
４２４  突出柱
４２５  孔部
４３０、４３０ａ  移動部材
４３１  第１の結合部
４３２  第２の結合部
４３３  ベース柱
４３４、４３４ａ  嵌合トップ
５００、５００ａ  ねじ蓋
５１０  ネジ
５２０  貫通孔
５３０  突出柱
５４０  凹溝
Ａ１  緩め方向
Ａ２  締付方向
Ｉ、Ｉ２  中心軸線
ｄ１、ｄ２  高さ
【図１】
0003202821.tif 000003
【図２】
0003202821.tif 000004
【図３】
0003202821.tif 000005
【図４】
0003202821.tif 000006
【図５】
0003202821.tif 000007
【図６】
0003202821.tif 000008
【図７】
0003202821.tif 000009
【図８】
0003202821.tif 000010
【図９】
0003202821.tif 000011
【図１０】
0003202821.tif 000012